Podtech/llm-jp-corpus-v4-ja_patent huggingface dataset:
(57)【要約】      （修正有）【課題】金ノコにより同軸ケーブルを切断したときに発生する切粉がケーブルの内部導体の銅管内に付着するので、これを清掃用具の挿脱によって除去する用具を提供する。【解決手段】清掃用具は、外径２８ｍｍの同軸ケーブルに適応する用具で、長さ１０ｃｍ、外径６ｍｍのアルミパイプ１の一端に円錐台形のストッパ−３を嵌着した導入管４と細い亜鉛めっき鋼撚線５よりなる長さ２４ｃｍの綱線の一端９ｃｍ幅に羊毛ブラシ６を周着した柄付の掃除ブラシ７とより構成されており、その掃除ブラシ７を導入管４に挿入した状態で、これを切断した同軸ケーブルの外部導体の中心部に在る銅管に挿入し、掃除ブラシ７を内側から同軸ケーブルの切断面に向かって引き抜くことにより切粉を容易に除去し、清掃されるので同軸ケーブルの品質低下が防止される。【選択図】図１
0003181173.tif 000002
【実用新案登録請求の範囲】
【請求項１】
同軸ケ−ブルを切断したときに、その外部導体の中心部に在る銅管内に発生、付着する切粉を除去、清掃する用具において（イ）細いアルミパイプの一端に円錐台形のストッパ−を嵌着して導入管を創製すること（ロ）細い亜鉛めっき鋼撚線よりなる綱線の一端に羊毛ブラシを周着し、柄付の掃除ブラシを創製すること（ハ）導入管のアルミパイプに柄付の掃除ブラシのブラシ部を緩挿すること（ニ）ブラシ部が挿入された導入管を切断ケ−ブルの内部導体の銅管内に緩挿すること（ホ）銅管内に挿通した掃除ブラシの柄を銅管内から切断面の方向に引き抜くことにより銅管内に付着した切粉を容易に除去、清掃することを特徴とする用具。
【考案の詳細な説明】
【技術分野】
【０００１】  この考案は、同軸ケ−ブルを金ノコにより切断したときに発生する切粉がケ−ブルの内部導体の銅管内に付着し、通信の品質に影響を与えるので、その切粉を除去、清掃する用具に関する。
【背景技術】
【０００２】  従来技術としては、銅管内に付着の切粉を綿棒で拭いとるか、掃除機で吸引していた。
【考案の概要】
【考案が解決しようとする課題】
【０００３】  しかしながら、掃除機を使用することができないときは、綿棒を使って銅管内の切粉を除去しているが、切粉を取ろうとして、誤って切粉を中に押し込んでしまうと、掃除機でなければ除去することができなくなる。従って、銅管内の切粉を中に押し込むことなく容易かつ能率的に除去することができる用具を提供することを目的としている。
【考案を解決するための手段】
【０００４】  考案者は、切断した同軸ケ−ブルの内部導体の銅管内に発生する切粉を除去する用具について鋭意、創案の結果、内部導体の銅管の内径より細いアルミパイプの一端に円錐台形のストッパを嵌着した導入管と、そのアルミパイプに挿入する亜鉛メッキ鋼撚線よりなる柄の先端部にブラシを周着した柄付掃除ブラシと、一対の用具を創作し、導入管のアルミパイプ内に柄付掃除ブラシのブラシ周着部を緩挿した状態で、ケ−ブルの切断面にストッパ−が当たるところまで導入管を挿入した後、銅管内の切粉を押し込まないよに柄付掃除ブラシのブラシ周着部を押し込んだ後、柄付掃除ブラシを引き抜くことで切粉を除去しうることを見出し、この知見に基づいて本考案をなすに至った。
【考案の効果】
【０００５】  上述のように構成された一対の用具を使用することにより、銅管内に付着した切粉の除去を管内を傷つけることなく容易に行えるので、ケ−ブルの品質低下が防止されるほか、
【０００６】  用具の取付け取外しが簡単で、切粉の除去、清掃を簡便に行うことができるので、作業工程の短縮と省力化が図られるなど多くの効果を奏する。
【図面の簡単な説明】
【０００７】
【図１】本考案の切粉清掃具  （ａ）  導入管の側面と正面図。（ｂ）  掃除ブラシの正面図。
【図２】同軸ケ−ブル  （ａ）  縦断面図  （ｂ）  横断面図。
【考案を実施するための形態】
【０００８】  本考案において用いられる導入管は、同軸ケ−ブルの内部導体の銅管に挿入する用具であり、細いアルミパイプと樹脂性のストッパ−より構成されており、そのストッパ−がパイプの一端に嵌着されている。また、掃除ブラシは、ケ−ブルの内部導体の銅管内に付着した切粉をブラシによって掃除する用具であり、亜鉛めっき鋼撚線よりなる柄と羊毛のブラシより構成されており、柄の先端部に羊毛ブラシが周着されている。清掃に当たっては、先ず、導入管のアルミパイプ内に掃除ブラシを挿入し、その状態で、導入管のストッパ−がケ−ブル切断面に当たるまで導入管を押し込んだ後、アルミパイプに挿入した掃除ブラシの柄を押し込んで内部導体の銅管内に掃除ブラシを緩挿した後、柄を引き戻すことによって銅管内の切粉を除去、清掃されるので、同軸ケ−ブルの品質低下が防止される。
【実施例】
【０００９】  以下、本考案を添付図面に基づいて、更に詳細に説明する。【００１０】  図１（ａ）に示すように、長さ１０ｃｍ、外径６ｍｍ、厚み０．６ｍｍのアルミパイプ１の一端に樹脂性で外径２８ｍｍ、高さ１２ｍｍの円錐台形のストッパ−３を嵌着して形成した導入管４で、これを同軸ケ−ブル２の内部導体８の銅管９に挿入する。【００１１】  また、図（ｂ）に示すように、素線径１．２ｍｍの亜鉛めっき綱線を２本撚った長さ２４ｃｍの鋼撚線よりなる柄５の一端に羊毛のブラシ６を９ｃｍ幅に亘ってテ−パ−状に周着して形成した柄付の掃除ブラシ７で、これによって切粉１０を除去、清掃する。【００１２】  また、図２（ａ）の縦断面に示すように、同軸ケ−ブル２の構造は、その中心に内部導体の銅管９が在り、その外周に絶縁体０と耐熱テ−プを介して外部導体８（波付銅管）が介在し、その外周をシ−スによって被覆している。【００１３】  また、図２（ｂ）の横断面に示すように、柄付の掃除ブラシ７の先端に周着したテ−パ−付の羊毛ブラシ６を挿脱することによって同軸ケ−ブル２を切断ときに発生し、内部導体の銅管９内に付着した切粉１０を取り除くとともに清掃している。
【符号の説明】
【００１４】１    アルミパイプ（細管）２    同軸ケ−ブル３    ストッパ−（合成樹脂）４    導入管５    柄（亜鉛めっき鋼撚線）６    ブラシ（羊毛）７    柄付掃除ブラシ（先端ブラシ周着）８    外部導体（波付銅管）９    銅管（内部導体）１０  切粉０    絶縁体（ポリエチレン）
【図１】
0003181173.tif 000003
【図２】
0003181173.tif 000004
(57)【要約】      （修正有）【課題】家庭ごみ袋に生ごみ等を投入した後、簡易に臭いの発生を防止することができる安価な構造の臭い防止用具を提供する。【解決手段】プラスチック製の長方形のボード５，６を家庭ごみ袋の取入れ口の両面を挟むために、軟質プラスチックの折曲げ部２と一体成型したボード内側に数箇所の円錐状の凸部７と凹部８を設ける。その外側に半円状の凸部９と凹部１０を長手方向に形成する。長方形のボードの中央部に切欠部を設け、ボードの合わせ目を開くことを容易にする。さらに片方のボードの外側６にマグネットテープ４を貼付け壁面に接着する。【選択図】図５
0003181174.tif 000002
【実用新案登録請求の範囲】
【請求項１】
プラスチック製の長方形のボードを家庭ごみ袋の取入れ口の両面を挟むために、軟質プラスチックの折曲げ部と一体成型したボード内側に数箇所の円錐状の凸部と凹部を設ける。その外側に半円状の凸部と凹部を長手方向に形成した臭い防止用具。
【請求項２】
長方形のボードの中央部に切欠部を設け、ごみ袋の取入れ口から外し易くした。また片方のボードの外側にマグネットテープを貼付けた請求項１記載の臭い防止用具。
【考案の詳細な説明】
【技術分野】
【０００１】  本考案は家庭用ごみ袋に於ける、生ごみ投入後に発生する臭い防止（害虫発生等）に関する。
【背景技術】
【０００２】  従来の臭い防止等に関するいろいろな工夫はそれぞれの家庭の中で行なわれているが、適切とは言えない方法であるため臭いが漏れることに悩まされている。家庭用ごみ袋に於ける生ごみ投入後に投入口を簡便な方法で閉じることが望まれている。
【考案の開示】
【考案が解決しようとする課題】
【０００３】  家庭ごみ袋の適切な管理は悩みの種であるが、本考案は簡便にして誰でも使用できる用具を使用することで臭い又は害虫発生の悩みから開放されることが目的である。
【課題を解決するための手段】
【０００４】  本考案はプラスチックの素材を一体成型により得られるような形状に設計されているため、コストの面でも安価に提供することが可能である。【０００５】  さらにごみ投入後の投入口を挟むような形にしており、閉じた後に臭いが漏れないように二重に突起部と溝を設けている。【０００６】  またマグネットテープを外側片方に貼り付けることにより、収納場所により壁面に吸着させることができる。合わせ目を開いた内面にマグネット塗料を塗布することにより両面の密着性を、強固にすることも出来るので臭い防止にさらに効果を発揮する。【０００７】  上述の様に本考案の臭い防止用具は、二重三重の臭い防止構造になっておりしかも安価に提供できることは、日常的に発生する生ごみ等を処理するための家庭用ごみ袋の臭いに対する環境が格段に良くなる。【０００８】  以下、本考案の実施を図１〜図６に基づいて説明する。【０００９】  図１及び図２おいて、１は臭い防止用具の本体で、２は軟質プラスチックによる折り曲げ部であり、３は合せ目を開くための切欠部が設けられている。図２は図１の断面図（Ａ−Ａ）で家庭用ごみ袋の投入口を塞ぐためには、５と６のプラスチックボードを切欠部３より開くことにより挟み込むことができる。【００１０】  図３は図１の矢視図（Ｂ）であり、片方のプラスチックボード６外面にマグネットテープ４を貼り付けたことによりごみ袋の収納が壁面を利用して吸着させる。【００１１】  図４及び図５において、７は円錐の突起部であり、８は円錐状の凹部である。両方のプラスチックボード５，６が合わさることにより臭い防止の効果が発揮される。円錐の突起部７と円錐状の凹部８の数量は、家庭ごみ袋の容量の大きさにより４箇所前後の数箇所に設定することができる。９の半円状の凸部と、１０の半円状の凹部は、プラスチックボードの長手方向に７，８の外側に設ける。二重の密閉状態にして臭いの漏れを防ぐ役目をする。【００１２】  図６は、本考案実施形態を家庭ごみ袋１１の取入り口に臭い防止用具１を取り付けた正面図である。
【図面の簡単な説明】
【００１３】
【図１】  本考案の臭い防止用具の正面図
【図２】  本考案の臭い防止用具のＡ−Ａ断面図
【図３】  本考案の図１の底面から示したＢ矢視図
【図４】  本考案の図３の中央切欠部から上下に開いた内面の展開図
【図５】  本考案の図４の円錐の突起部及び相対する円錐状の凹部のＣ−Ｃ断面拡大図
【図６】  本考案の実施形態図
【符号の説明】
【００１４】  １  臭い防止用具の本体
２  軟質プラスチックによる折曲げ部
３  合わせ目を開くための切欠部
４  マグネットテープ貼付け又はマグネット塗料の塗布
５  ごみ投入口を密着させる円錐の凸部が数箇所と半円状の凸部が形成された本体の長方形のプラスチックボード
６  ごみ投入口を密着させる円錐状の凹部が数箇所と半円状の凹部が形成された本体の長方形のプラスチックボード
７  ５の合わせ目側にある円錐の突起部
８  ６の合わせ目側にある円錐の突起部を受ける円錐状の凹部
９  ５の合わせ目側にある半円状の凸部
１０  ６の合わせ目側にある半円状の凹部
１１  家庭ごみ袋
【図１】
0003181174.tif 000003
【図２】
0003181174.tif 000004
【図３】
0003181174.tif 000005
【図４】
0003181174.tif 000006
【図５】
0003181174.tif 000007
【図６】
0003181174.tif 000008
(57)【要約】      （修正有）【課題】除雪用ショベルのバケット部分に鋼板をはめ込み、内部を加熱し除雪と排雪を同時に行うことができる融雪型除雪機を提供する。【解決手段】タイヤショベルのバケット部分は鋼製なので、前部を鋼板１で塞ぎ、内部をガスバーナー３で加熱することにより、融雪効果が生まれ雪が堆積することをなくす。又、バケット外部が高温となり火傷の恐れがあるため、外部には耐熱塗料を塗布し、火傷事故を防止する。【選択図】図１
0003181178.tif 000002
【実用新案登録請求の範囲】
【請求項１】
タイヤショベルのバケット内部に鋼板をはめ込み、内部を加熱し融雪型除雪機として使用する。
【考案の詳細な説明】
【技術分野】
【０００１】この考案は、降雪時の除排雪に関する。
【背景技術】
【０００２】従来の除雪用ショベルのバケット部分に鋼板をはめ込み、内部を加熱し除雪と排雪を同時に行うものです。
【先行技術文献】
【０００３】ＪＡＺＹ特許事務所の千ヶ▲崎▼氏に依頼し検索をして頂いた限りでは、本考案と同様の技術は抽出されないとのことでした、
【考案の概要】
【考案が解決しようとする課題】
【０００４】従来の除排雪は、降雪のあった場合に除雪を行い、道路の路肩又は敷地の一部に雪を堆積し、ある程度たまった時点で排雪作業を行って、交通障害を起こしたり、敷地の有効利用面積が限定されていました。
そこで本考案は、積雪時の歩行者等の安全確保、敷地の有効活用等を促進し生活環境の改善に寄与することにあります。
【課題を解決するための手段】
【０００５】以上の課題を解決するために、タイヤショベルのバケット内部を加熱し、除排雪を同時に行うものであります。
【考案の効果】
【０００６】本考案によれば、狭隘な生活道路の幅員の保持、町内公共施設の駐車スペースの確保等、生活上の利便性が確保できます。さらに排雪作業の無駄な経費も削減することができます。
【図面の簡単な説明】
【図１】この考案の実施形態を示す側面図です。
【考案を実施するための形態】
【０００７】この考案の実施形態を、図１に示します。
タイヤショベルのバケット部分は鋼製なので、前部を鋼板で塞ぎ、内部をガスバーナー等で加熱することにより、融雪効果が生まれ雪が堆積することがありません。又、バケット外部が高温となり火傷の恐れがあるため、外部には「やけどＢＯＹ（耐熱塗料）」を塗布し、火傷事故を防止します。
【実施例】
【産業上の利用可能性】公共事業の削減等により、各市町村の除雪に配置する作業員不足、排雪に要するダンプの不足等による加重労働等の抑制効果が期待できる。
【符号の説明】１  鋼板    ２  加熱部分    ３  ガスバーナー    ４  プロパンガス
【図１】
0003181178.tif 000003
(57)【要約】      （修正有）【課題】野球のバッティング技術向上のための『素振り』と『バッティング』を、一人で連続してできるようにした練習具を提供する。【解決手段】天井に取付けたフック３の真下に本練習具の重し２を置き、ボールのついたコード４を天井のフックに結び付ける。ボール１をミートポイントの高さにセットすれば、一定の位置にある目標のボールを連続してバッティング練習することができるようになる。【選択図】図１
0003181157.tif 000002
【実用新案登録請求の範囲】
【請求項１】
軽量のボールに伸縮するヒモを通し、上下をフック等で固定して、素振りとバッティングを連続して行う素振り・バッティング自動練習具
【請求項２】
ボールを網袋などに入れて両端に伸縮するヒモを付けて使用する請求項目１記載の素振り・バッティング自動練習具
【考案の詳細な説明】
【考案の詳細な説明】
【産業上の利用分野】
【０００１】本考案は、野球のバッティング技術向上のための『素振り』と『バッティング』を、一人で連続してできるようにした練習具である。
【背景技術】
【０００２】従来からバッティング練習は、『素振り』と『ティバッティング』や『トスバッティング』が主流であった。その『素振り』と『バッティング』の練習は別々に行っている。素振りは連続してできるが、バッティングの練習は、特殊な練習機を使うか、ボールをポール上に置いたり、誰かにボールを投げてもらわなければできなかった。簡易型バッティング練習機も各種登場しており、使用実績も数多く伝えられているが、どれも、素振りと併せて練習できなかった。
【考案が解決しようとする課題】
【０００３】しかし、各種存在する簡易型練習機は、当然に、バッティング時の衝撃にも十分耐えなければならず、土台となる部分の重量は相当に重かった。また、ミートポイントをかえて練習するための球の高さ調節は、マシンの都合によって出来ないものが多く、例え、出来ても僅かな調節しか出来なかった。本考案は、これらの課題を克服し、加えて、素振りと併せてバッティング練習ができるようにするものである。
【課題を解決するための手段】
【０００４】本考案は、この問題を解決するためになされた。つまり、使用球をスポンジボールなど軽量化することで、バッティング時の衝撃を減らし、さらに、ボールの上下に伸びる伸縮自在のヒモは、上を軒先や天井の梁などに簡単に取付けるだけでよく、下は重りにむすぶだけである。
これによって、打ったボールは自動的に元の位置に戻り、連続して同じ高さのポイントを狙ったバッティング練習を繰り返すことができる。
また、球を小さくしてミートポイントの極小化を実現し、上下のヒモの長さを調節して、球の高さも自由に決められる。
【作用】
【０００５】  この、『素振り・バッティング自動練習具』は、素振りするスペースがあり、頭上に伸縮するヒモを結ぶ場所、あるいはフックなどがありさえすれば、屋外・屋内のどこでも素振り・バッティングの練習ができる。
【実施例】
【０００６】  以下、本案の実施例について説明する。
天井に取付けたフック（３）の真下に本練習具の重し（２）を置き、ボールのついたコード（４）を天井のフックに結び付ける。ボール（１）をミートポイントの高さにセットすれば、一定の位置にある目標のボールを連続してバッティング練習することができるようになる。
【考案の効果】
【０００７】  したがって、従来のバッティング練習機が持っていた重すぎる・高さの調節が制限される・場所が限られるなどの欠点が全てクリアされ、別途練習していた素振りも併せて練習できるようになる。
【図１】
0003181157.tif 000003
【図２】
0003181157.tif 000004
【手続補正書】
【提出日】平成24年11月29日(2012.11.29)
【手続補正２】
【補正対象書類名】明細書
【補正対象項目名】全文
【補正方法】変更
【補正の内容】
【考案の詳細な説明】
【産業上の利用分野】
【０００１】本考案は、野球のバッティング技術向上のための『素振り』と『バッティング』を、一人で連続してできるようにした練習具である。
【背景技術】
【０００２】従来からバッティング練習は、『素振り』と『ティバッティング』や『トスバッティング』が主流であった。その『素振り』と『バッティング』の練習は別々に行っている。素振りは連続してできるが、バッティングの練習は、特殊な練習機を使うか、ボールをポール上に置いたり、誰かにボールを投げてもらわなければできなかった。簡易型バッティング練習機も各種登場しており、使用実績も数多く伝えられているが、どれも、素振りと併せて練習できなかった。
【考案が解決しようとする課題】
【０００３】しかし、各種存在する簡易型練習機は、当然に、バッティング時の衝撃にも十分耐えなければならず、土台となる部分の重量は相当に重かった。また、ミートポイントをかえて練習するための球の高さ調節は、マシンの都合によって出来ないものが多く、例え、出来ても僅かな調節しか出来なかった。本考案は、これらの課題を克服し、加えて、素振りと併せてバッティング練習ができるようにするものである。
【課題を解決するための手段】
【０００４】本考案は、この問題を解決するためになされた。つまり、使用球をスポンジボールなど軽量化することで、バッティング時の衝撃を減らし、さらに、ボールの上下に伸びる伸縮自在のヒモは、上を軒先や天井の梁などに簡単に取付けるだけでよく、下は重りにむすぶだけである。
これによって、打ったボールは自動的に元の位置に戻り、連続して同じ高さのポイントを狙ったバッティング練習を繰り返すことができる。
また、球を小さくしてミートポイントの極小化を実現し、上下のヒモの長さを調節して、球の高さも自由に決められる。
【作用】
【０００５】  この、『素振り・バッティング自動練習具』は、素振りするスペースがあり、頭上に伸縮するヒモを結ぶ場所、あるいはフックなどがありさえすれば、屋外・屋内のどこでも素振り・バッティングの練習ができる。
【実施例】
【０００６】  以下、本案の実施例について説明する。
天井に取付けたフック（３）の真下に本練習具の重し（２）を置き、ボールのついたコード（４）を天井のフックに結び付ける。ボール（１）をミートポイントの高さにセットすれば、一定の位置にある目標のボールを連続してバッティング練習することができるようになる。
【考案の効果】
【０００７】  したがって、従来のバッティング練習機が持っていた重すぎる・高さの調節が制限される・場所が限られるなどの欠点が全てクリアされ、別途練習していた素振りも併せて練習できるようになる。
【図面の簡単な説明】
【０００８】
【図１】室内で使用可能な状態の『素振り・バッティング自動練習具』（１）はボール、（２）は重し、（３）は天井のフック、（４）は伸縮自在ヒモ、（５）は（３）の拡大
【図２】『素振り・バッティング自動練習具』の使用実例連続写真図
(57)【要約】      （修正有）【課題】簡単な動作で迅速に新聞紙のページをめくることができる様に、新聞紙を加工できるカッターを提供する。【解決手段】新聞紙の適切な辺の一部に対し、半月型あるいはその類似型に湾曲した刃をななめに滑動させることによって、その切断面にずれを生ぜしめ、もってめくることを容易ならしめる。すなわち、新聞紙挿入孔５に新聞紙をセットし、刃の両側に設けた持ち手を指ではさんでガイド３に沿って滑動させると紙面は斜めに切断され、めくり易い状況が生まれる。斜めに切断された部分の紙面にはずれが発生し、構造上紙面を捕まえやすく、それゆえにめくりやすい状況が生まれる。【選択図】図３
0003181151.tif 000002
【実用新案登録請求の範囲】
【請求項１】
半月型、もしくはその類似型に湾曲した刃が斜めに滑動が可能であるべく両側にガイドを設けた新聞紙のめくり機構作成用カッター。
【考案の詳細な説明】
【技術分野】
【０００１】この考案は新聞紙のページめくりに関するものである。
【背景技術】
【０００２】めくりにくい新聞紙のページを簡単な工作と簡単な動作をもって、容易に目的を果たせるよう開発をしたい。
【考案の開示】
【考案が解決しようとする課題】
【０００３】安価にして簡単な製作加工と、同じく簡単な動作で迅速に新聞紙のページをめくりたい。
【課題を解決するための手段】
【０００４】新聞紙の適切な辺の一部に対し、半月型あるいはその類似型に湾曲した刃をななめに滑動させることによって、その切断面にずれを生ぜしめ、もってめくることを容易ならしめたい。
すなわち、新聞紙挿入孔に新聞紙をセットし、刃の両側に設けた持ち手を指ではさんでガイドに沿って滑動させると紙面は斜めに切断され、めくり易い状況が生まれる。
【考案の効果】
【０００５】斜めに切断された部分の紙面にはずれが発生し、構造上紙面を捕まえやすく、それゆえにめくりやすい状況が生まれる。
【考案を実施するための最良の形態】
【０００６】新聞紙の縦方向の辺の一部を斜めに切断すれば使いやすいのではないか。
【実施例】
【０００７】指の大きさに近いサイズで斜めに切断がなされるなら理想的である。
【産業上の利用可能性】
【０００８】迅速にして簡単な使用動作が期待でき、且つカッターの製作は安価である。
【図面の簡単な説明】
【０００９】
【図１】正面図
【図２】平面図
【図３】側面図
【符号の説明】１  刃        ２  持ち手        ３  ガイド        ４  筐体
５  新聞紙挿入孔
【図１】
0003181151.tif 000003
【図２】
0003181151.tif 000004
【図３】
0003181151.tif 000005
【手続補正書】
【提出日】平成24年10月24日(2012.10.24)
【手続補正１】
【補正対象書類名】実用新案登録請求の範囲
【補正対象項目名】全文
【補正方法】変更
【補正の内容】
【実用新案登録請求の範囲】
【請求項１】
半月型、もしくはその類似型に湾曲した刃が斜めに滑動が可能であるように、筐体の両側にガイドを設けたことを特徴とする新聞紙のめくり機構作成用カッター。
(57)【要約】      （修正有）【課題】汗で濡れた下着の不快感を緩和させる効果があり、脱衣も容易なタンクトップを提供する。【解決手段】素材をタオル地で構成し、前身頃と後ろ身頃にそれぞれ保冷剤用のポケットを設け、左右１ヶ所に面ファスナーを取り付けると共に、後ろ身頃の長さを前身頃の長さよりも長くする。【選択図】図１
0003181154.tif 000002
【実用新案登録請求の範囲】
【請求項１】
タンクトップの素材をタオル地（肌側のみ起毛）とし、後衣をお尻までを覆うデザイン。
【請求項２】
前衣（胸）後衣（背中）にポケットを付ける。（保冷剤入れ）
【請求項３】
脱衣が容易に出来るように表地は起毛の無いタオル地を使用する事で左右１ヶ所にマジックテープを取り付ける。
【考案の詳細な説明】
【技術分野】
【０００１】本考案はタンクトップの素材をタオル地（肌側のみ起毛）で保冷剤用ポケットを２ヶ所作り脱衣を容易にした。
【背景技術】
【０００２】汗で濡れた下着の気持ちの悪さ
【考案が解決しようとする課題】
【０００３】汗で下着が濡れ、肌にくっついて気持ち悪く、そのまま冷房にあたると風邪をひくので、肌につく汗の嫌な感触を和らげる物である。
【課題を解決するための手段】
【０００４】タンクトップの素材をタオル地にすると汗の吸い取りが良くタオル特有の起毛が肌の接触部分を少なくし、不快感が極めて抑えられる。意外とお尻に汗をかくので後衣をお尻を覆うようにし、又広く普及している保冷剤を汗の出る背中と胸にあたるようにポケットを付け、発汗を抑える事が出来る。又脱衣が容易に出来るようにした。
【考案の効果】
【０００５】タオル地は吸い取った汗の感触が多少あるが、気にならず、快適である。又そのタンクトップのみを脱衣する事が容易である。
【図面の簡単な説明】
【０００６】
【図１】本考案の  タンクトップのデザイン図
【産業上の利用可能性】
【０００７】タオルを背中に背負った中高年の女性を良く見るので、デザイン、タオル地の種類を選び販売すれば、中高年だけでなく若者も利用すると考える。
【図１】
0003181154.tif 000003
【手続補正書】
【提出日】平成24年11月5日(2012.11.5)
【手続補正１】
【補正対象書類名】実用新案登録請求の範囲
【補正対象項目名】全文
【補正方法】変更
【補正の内容】
【実用新案登録請求の範囲】
【請求項１】
素材をタオル地で構成し、前身頃と後ろ身頃にそれぞれ保冷剤用のポケットを設け、左右１ケ所に面ファスナーを取り付けると共に、後ろ身頃の長さを前身頃の長さよりも長くしたことを特徴とするタンクトップ。
【手続補正３】
【補正対象書類名】図面
【補正対象項目名】図１
【補正方法】変更
【補正の内容】
【図１】
0003181154.tif 000004
(57)【要約】      （修正有）【課題】長年の使用において欠けが生じたり、表面粗さが悪化したりするのを防ぎ、また表面研磨等による修正加工を無くし、維持費コストを抑えた多層構造石定盤を提供する。【解決手段】石材単体の石定盤１上に、溶射後表面粗さがＲａ１μｍ以下に研磨されたセラミックスを積層３して多層構造の石定盤１とする。これにより石材単位の石定盤よりも表面が高硬度のセラミックスで覆われるため耐久性が向上するとともに、防水性や耐薬品性の面でも有利となる。【選択図】図１
0003181182.tif 000002
【実用新案登録請求の範囲】
【請求項１】
石材単体の石定盤上に、溶射後Ｒａ１μｍ以下の表面粗さに研磨されたセラミックスが積層形成されたことを特徴とする多層構造石定盤。
【考案の詳細な説明】
【技術分野】
【０００１】本考案は、高精度な測定を行うステージ装置に使用される水平面の土台となる石定盤に関する。
【背景技術】
【０００２】一般の定盤には御影石（花崗岩）等で作られた石定盤や、鋳鉄定盤、セラミックス定盤、ステンレス定盤、ガラス定盤などがあり、このうち、花崗岩で製造された高精度な石定盤は、台の表面に高い面精度が必要なケースで多く使用されている。
【先行技術文献】
【特許文献】
【０００３】
【特許文献１】特開２０１０−２９８７２
【考案の概要】
【考案が解決しようとする課題】
【０００４】十分な硬度を有する石定盤であっても、長年の使用において欠けが生じたり、表面粗さが悪化したりするため、適宜表面研磨等による修正加工が必要であり、場合によっては新品の石定盤に買い換える必要があるので、維持費に高額なコストを要することになる。
【課題を解決するための手段】
【０００５】上記課題を解決するために本考案の多層構造石定盤は、石材単体の石定盤上に、溶射後Ｒａ１μｍ以下の表面粗さに研磨されたセラミックスが積層形成されたことを特徴とする。
【考案の効果】
【０００６】本考案の多層構造石定盤によれば、石定盤の基台である石材の上に、より高硬度のセラミックスを溶射により形成されているので、使用による経年変化を受け難くなる。
そのため、表面粗さの校正に必要な表面研磨加工等の頻度を抑えることができ、維持費の削減にもつながる。
【図面の簡単な説明】
【０００７】
【図１】本考案の多層構造石定盤の構成を示す概略図である。
【考案を実施するための形態】
【０００８】図１に示すように本考案の多層構造石定盤は、石定盤１の基台２となる花崗岩等の石材の表面に、石材よりも高硬度のＡｌ２Ｏ３（アルミナセラミックス）等のセラミックス層３を溶射により形成したものである。そして、セラミックス層３の表面は、表面粗さが１μｍ以下となるように研磨されている。
なお、基台２の石材表面に溶射されるセラミックス層３は一層だけでなく、異なる材料で多層形成されたセラミックスであってもよい。
上記構造の多層構造石定盤によれば、石材単体の石定盤よりも表面が高硬度のセラミックスで覆われるため耐久性が向上するとともに、防水性や耐薬品性の面でも有利となる。
また、セラミックスの表面はポーラス状であるため、石定盤上に載置される被測定物等のリンキング（固着）の発生を防止できる。
さらに、石材表面へのセラミックスの溶射とセラミックス表面の研磨により本考案の多層構造石定盤は得られるので、石材単体の石定盤を買い換えるよりもかなり安価に表面粗さの精度を回復できる。
【符号の説明】
【０００９】１  石定盤
２  基台
３  セラミックス層
【図１】
0003181182.tif 000003
(57)【要約】      （修正有）【課題】初対面の相手との出会いにインパクトを与え、深い印象を残し、自分のことを知ってもらい、話題性や今後の展開に繋げることができる名刺を提供する。【解決手段】風船名刺は、風船に名刺情報を印字している。膨らませることで印字が大きくなり、渡した相手が名刺だったのだとわかるような仕掛けとする。【選択図】図２
0003181188.tif 000002
【実用新案登録請求の範囲】
【請求項１】
風船に名刺情報を印字している新型名刺。一般的にイメージされている型や紙の名刺ではなく、名刺のイメージとはかけ離れた風船を名刺にすることにより、渡した相手に深い印象を残すことができる風船名刺。風船名刺は、名刺としての利用だけではなく、風船という別の用途もあるので、捨てられない名刺となる。
【考案の詳細な説明】
【技術分野】
【０００１】
本考案は、風船に名刺情報を印字した、名刺に関するもの。
【背景技術】
【０００２】
通常の名刺のイメージは、カード型で、紙一枚ものでできている。
【考案の概要】
【考案が解決しようとする課題】
【０００３】
通常使用されている名刺は、みな同じ型、素材、様式で、初めて会った相手に特に深い印象を与えることが難しい。本考案は、前述の問題点を解決しようとするものである。
【課題を解決するための手段】
【０００４】
本考案は、風船に名刺情報を印字し、それを名刺として渡すことにより、通常の名刺よりも初めて会う相手に強烈なインパクトを与え、深い印象を残すことにより、問題を解決している。
【図面の簡単な説明】
【０００５】
【図１】本考案の風船名刺の表面図である。
【図２】本考案の風船名刺の膨らませた状態のイメージ図である。
【実施例】
【０００６】
以下、添付図面に従って一実施例を説明する。１は本考案の風船名刺の表面図である。膨らます前は、印字は鮮明に見えない状態になっている。２は本考案の風船名刺を膨らませた図である。１では鮮明に見えなかった印字が膨らませることで大きくなり、読取ることができる。
【符号の説明】
【０００７】
1  風船名刺本体表面図（通常時）
２  風船名刺を膨らませた状態のイメージ図
【図１】
0003181188.tif 000003
【図２】
0003181188.tif 000004
【手続補正書】
【提出日】平成24年11月28日(2012.11.28)
【手続補正１】
【補正対象書類名】実用新案登録請求の範囲
【補正対象項目名】全文
【補正方法】変更
【補正の内容】
【実用新案登録請求の範囲】
【請求項１】
風船に名刺情報を印字している名刺。
(57)【要約】      （修正有）【課題】タイヤの一部が損傷しても、タイヤの機能を維持できる安全なタイヤを提供する。【解決手段】タイヤ１と多空部タイヤ２タイヤの断面図３から成る、タイヤ１に多空部タイヤ２を入れたタイヤ１。【選択図】図１
0003181181.tif 000002
【実用新案登録請求の範囲】
【請求項１】
タイヤの内部にもう１個の多空部タイヤを入れたタイヤ
【考案の詳細な説明】
【考案の詳細な説明】
この考案は通常タイヤの内部に、もう１個多空部タイヤを組み入れたタイヤである。
従来のタイヤは１個所破損するとタイヤ全体の破損に及び使用不能となった。
本案はその欠点を除くために考案されたもので１個所又は２個所の破損でも多空部タイヤが有るので全体の破損に及ばず、その機能は保つことが出来て安心である。
このようにすれば高速道路での大事故、タイヤ交換による死亡事故等々の防止になる。
本考案はこのような構造であるから、即座に交換しなくても目的地まで安心して運転して行く事が出来る。
【図面の簡単な説明】
【図１】本案の平面図と断面図である。
【符号の説明】１はタイヤ
２は多空部タイヤ
３は断面図
【図１】
0003181181.tif 000003
(57)【要約】      （修正有）【課題】ゴミ袋山全体に隙間を無くして包括カバーすることができ、カラス・ネコの被害を防ぐことができる簡易組立ゴミ袋囲いを提供する。【解決手段】プラスチック成型された、右側面パネル１と、左側面パネル２と、二分してジョイント組３で接合・切離し自在にした前面パネル４と、屈曲折目５で内二つに折り合わせできる背面パネル６の、前記４パネルをそれぞれの結合部に、屈曲ジョイント７を施す。この構造により、四角筒囲い８に組め、平たく折畳むこともできる。さらに各パネルの天辺部に、適当数のネット止９を施すことで、前面パネル４を無くして、三方囲いにすることもできる。【選択図】図５
0003181186.tif 000002
【実用新案登録請求の範囲】
【請求項１】
プラスチック成型された、右側面パネル１と、左側面パネル２と、二分してジョイント組３で接合・切離し自在にできる前面パネル４と、屈曲折目５で内二つに折り合わせできる背面パネル６の、前記４パネルをそれぞれの結合部に、屈曲ジョイント７を施すことで、四角筒囲い８に組めて、平たく折り畳むこともできるもので、さらに、各パネルの天辺部に、適当数のネット止９を施した簡易組立ゴミ袋囲い。
【請求項２】
前面パネル４を無くして、前面の無い三方囲いにした、請求項１記載の、簡易組立ゴミ袋囲い。
【考案の詳細な説明】
【技術分野】
【０００１】  本考案は、市区町村のゴミ収集日に備える、ゴミ袋収集場所設置用品に関する。
【背景技術】
【０００２】  ゴミ収集日は、路上でゴミ袋を山積みにした上から、ネットをカバーして、カラス・ネコに荒らされないように、防ぐことが知られている。
【考案の開示】
【考案が解決しようとする課題】
【０００３】  ゴミ袋山にネットをカバーする従来の方法は、ゴミ袋山の凹凸形に四角形のネットを覆うので、形状の違いで全てを覆いきれず、側面の何処かに浮き外れる箇所が、数箇所できて地面との間に隙間を生じ、そこをカラス・ネコが必ず狙って、ゴミ袋荒らしの被害に遭う欠点があった。
【課題を解決するための手段】
【０００４】  本考案は、プラスチック成型された、右側面パネル１と、左側面パネル２と、二分してジョイント組３で接合・切離し自在にした前面パネル４と、屈曲折目５で内二つに折り合わせできる背面パネル６の、前記４パネルをそれぞれの結合部に、屈曲ジョイント７を施すことで、四角筒囲い８に組めて、平たく折り畳むこともできるもので、さらに、各パネルの天辺部に、適当数のネット止９を施したものである。また、前面パネル４を無くして、前面の無い、三方囲いにすることもでき、これら上記により、前記課題を解決するものである。
【考案の効果】
【０００５】  ゴミ袋を中に投棄した、本考案に係る簡易組立ゴミ袋囲いの上から、ネットを覆うだけで、四角等囲い８を包括して隙間無くゴミ袋山をカバーできる上、ネットをネット止９で四角筒囲い８に固定できるため、カラス・ネコのゴミ荒し被害を完全に防げる効果がある。また不使用時には、平たくコンパクトに折り畳め軽量なので、持ち運び・収納に便利な効果があり、さらに何処にでも拡げるだけで、簡単に設置できる効果がある。その上接合・切離し自在のジョイント組３で、容易に前面パネル４を開閉できるのと、三方囲いの場合、前面が無いので、両者ともゴミ収集員がゴミ袋を取り出し易く、ゴミ衛生局規定にも準じる効果がある。
【考案を実施するための最良の形態】
【０００６】  全図に示すように、右側面パネル１と左側面パネル２は、長方形の平板パネルで同一であり、前面パネル４は切り離して二分され、その片側パネルの切端部分に、ジョイント組３の一例として磁石を取り付け、対片側パネルの切端部分に、磁石受け金具を取り付けて、両者で接合・切離しを自在にでき、容易に前面パネル４を開閉できるようにしたもので、また、背面パネル６の真中に、一例としてパネルを肉薄にした屈曲折目５を入れ、内側へ背面パネル６を半分に折り曲げることができ、さらに前記４パネルの結合部は、一例としてパネルを肉薄にした屈曲ジョイント７で、内折りできるようになっているので、前面パネル４と背面パネル６を内に折り合わすと、同時に各屈曲ジョイント７も内折れして、四角筒囲い８を平たく折り畳むことができ、また拡げると元の四角筒囲い８になるものである。さらに一例としてネットの淵囲いロープを差し込んで容易に外れない、入口を窄めた落し止め形のネット止９が、各パネルの天辺から適当数切り込まれ施されているので、カバーするネットが、四角筒囲い８からズレたり外れたりせず固定して覆え、またネットを外す際は、少し力を入れて引き抜くだけで簡単に外れる。
【実施例】
【０００７】  また全図において前面パネル４を無くし、前面の無い三方囲いの、組立て仕様にすることもできる。【０００８】  また全図における各パネルは、プラスチック成型が適当であり、網目パネルやパンチングパネル等の、様々な形状パネルにすることもでき、また屈曲折目５や屈曲ジョイント７は、拡げて四角筒囲い８や、三方囲いに組立てられて、さらに内側に折り合わして、平たく折り畳めるよう屈曲できれば、蝶番組のようなジョイントにしたり、どんな仕組みで施すこともでき、そしてネット止９は、各パネルの天辺部にフックを施してネットを引っ掛けて止めたり、ピンチやクリップ等の挟み止め具で挟んで止める等、あらゆる手段でネットをパネルに固定できるようにすることもでき、また前面パネル４のジョイント組３は、二分した両片側パネルの切端同士で噛み合う切端形にしたり、別途に連結具を取り付けたりして、様々なジョイント方法で施すこともできる。
【図面の簡単な説明】
【０００９】
【図１】  本考案に係る簡易組立ゴミ袋囲いの、四角筒囲い８組立て正面図である。
【図２】  本考案に係る簡易組立ゴミ袋囲いの、四角筒囲い８組立て背面図である。
【図３】  本考案に係る簡易組立ゴミ袋囲いの、四角筒囲い８組立て右側面図である。
【図４】  本考案に係る簡易組立ゴミ袋囲いの、四角筒囲い８組立て平面図である。
【図５】  本考案に係る簡易組立ゴミ袋囲いの、四角筒囲い８を平たく折り畳んだ平面図である。
【符号の説明】
【００１０】１…右側面パネル
２…左側面パネル
３…ジョイント組
４…前面パネル
５…屈曲折目
６…背面パネル
７…屈曲ジョイント
８…四角筒囲い
９…ネット止
【図１】
0003181186.tif 000003
【図２】
0003181186.tif 000004
【図３】
0003181186.tif 000005
【図４】
0003181186.tif 000006
【図５】
0003181186.tif 000007
(57)【要約】      （修正有）【課題】電車の線路上に落ちた人を救助する人命救助装置を提供する。【解決手段】運転手が持つ押しボタンスイッチ３と、電車に取り付ける本体８と、本体８に蝶番を介して取り付けられるスコップ先端と、スコップ先端を所定の位置に固定するワイヤー６および電磁石１４と、本体内部に取り付けられるエアバッグ１２とからなり、押しボタンスイッチ３が押されると、スコップ先端は電磁石１４の電源が切れることによりレール間に隙間を保持しながら下げた位置となることを特徴とする人命救助装置。【選択図】図１
0003181131.tif 000002
【実用新案登録請求の範囲】
【請求項１】
線路上に落ちた人、踏切上の人を人命救助機器で運転手が運転中に人を発見したとたん左手又は右手に持っている押ボタンスイッチの押ボタンを押すと回転式スコップに取付けている電磁石と電磁石用鉄板が即座に分離し回転式スコップが線路上に降下し人命を救い上げ衝撃防止のエアーバッグ付人命救助装置。
【考案の詳細な説明】
【技術分野】
【背景技術】
【０００１】電車に飛び込み自殺者を救助する機器で２〜３ｍ先の人を瞬時に救うものである。
【考案が解決しようとする課題】
【０００２】本考案は
人身事故を防ぐ為のもので若い働き手の人の事故が多いのでこれを防止して役立たせたい。
【課題を解決するための手段】
【０００３】人が踏切又は線路上に風雨で倒れたりした人をスコップ機器で救うことが出来る。
【考案の効果】
【０００４】人が飛び込み自殺者又酒よいで線路上に落ちた人を運転手が瞬時に押しボタンスイッチで救う効果がある。
【図面の簡単な説明】
【０００５】
【図１】は正面図，
【図２】は側面図，
【図３】は平面図図１は電車と人命救助装置を正面からみた図３の線路上に倒れた人を運転手が▲３▼のスイッチボタンを押して救い上げた状態で▲３▼の押ボタンを押すことで▲７▼の鉄板と電磁石が切りはなれて▲１０▼のスコップがはなれて人命を救助した状態である  図２は側面図で▲１０▼のスコップを▲６▼のワイヤで引っ張っている状態で電車と人命救助機と▲１３▼の接続金具（フランジ）とで接続している▲２１▼の人体を救うため▲３▼の押ボタン押す前である  図３の平面図で線路上に人がたおれた状態で▲２▼運転手が▲３▼のボタンを押す前である▲１０▼のスコップ板は▲１０▼の蝶番で上げ下げ出来る構造。
【考案を実施するための形態】
【０００６】上述の実施例は本考案の好適な実施の一例ではあるが、これに限定されるものではなく本考案の要旨を逸脱しない範囲においては種々変形の実施も可能である。
【実施例１】
【０００７】以下、本考案の構成を図面に示す実施例に基づいて詳細に説明する。
【産業上の利用可能性】
【００８】人身事故を防ぐ為のもので若い働き手の人の事故が多いのでこれを防止して産業上に働き手として役立たせたい。
【符号の説明】
【００９】１  →  電車
２  →  運転手
３  →  押ボタンスイッチ
４  →  配線
５  →  ハンドル（発車、停止用）
６  →  ワイヤー
７  →  電磁石接続用鉄板
８  →  本体
９  →  バッテリー
１０→  スコップ先端
１１→  ワイヤー（引っ張っている状態図）
１２→  エアーバック（衝撃防止用）
１３→  電車と接続用フランジ
１４→  電磁石
１５→  滑車
１６→  木板
１７→  踏切の段差のガイド板
１８→  蝶番
１９→  プラットホーム
２０→  車輪
２１→  人
２２→  ＡＴＣ（制御装置）
２３→  締付ボルト
２４→  レール（線路）
２５→  踏切
２６→  空気入口
【図１】
0003181131.tif 000003
【図２】
0003181131.tif 000004
【図３】
0003181131.tif 000005
【手続補正書】
【提出日】平成24年7月8日(2012.7.8)
【手続補正１】
【補正対象書類名】実用新案登録請求の範囲
【補正対象項目名】全文
【補正方法】変更
【補正の内容】
【実用新案登録請求の範囲】
【請求項１】
電車の運転手が運転中にホーム又は踏切等で飛び込み又は不注意で、
自殺行為をする者を発見した場合、運転中に持参している押しボタンスイッチを押すと即座に押すことにより電源が切れて人命救助の本体、電車と接続している本体にワイヤーを取り付けて、そのワイヤーの端に鉄板を取り付け、人命救助のスコップ側の端に電磁石を取り付けこの電磁石と鉄板が普段は電源が流れてワイヤーの鉄板と電磁石が吸引しているスイッチを押すことで電磁石が切り離れて、救助用のスコップが蝶番を介して回転してスコップで救助する。
スコップはスコップ自体の重量で回転してレール間に５ｍｍ程の隙間で救う構造をしている。
エアバッグは、本体に取り付け、人体の衝撃にも耐えるように出来て、空気の入れ換えも出来る。
人命は生存のまつ救助出来ることを特徴とするエアバッグ付き人命救助装置。
【手続補正書】
【提出日】平成24年8月26日(2012.8.26)
【手続補正１】
【補正対象書類名】実用新案登録請求の範囲
【補正対象項目名】全文
【補正方法】変更
【補正の内容】
【実用新案登録請求の範囲】
【請求項１】
運転手が持つ押しボタンスイッチと、電車に取り付ける本体と、本体に蝶番を介して取り付けられるスコップ先端と、スコップ先端を所定の位置に固定するワイヤーおよび電磁石と、本体内部に取り付けられるエアバッグとからなり、押しボタンスイッチが押されると、スコップ先端は電磁石の電源が切れることによりレール間に隙間を保持しながら下げた位置となることを特徴とする人命救助装置。
(57)【要約】      （修正有）【課題】軽い圧力で開き、扉の重力で、ゆっくり中間位置へ自然復帰するグレビディヒンジを応用したペットドアを提供する。【解決手段】本体枠１の下部に、グレビティヒンジの下部４−１を固定しグレビティヒンジの上部４−２を、可動フラップ３に固定し、更に可動フラップ３を、本体枠１に固定された、ガイド棒５により、上下で支持された構造とし、さらに本体枠１に嵌合する裏パネル２は、ペット（犬、猫）が通過するのに、十分なサイズにされていて、住居の扉、隔壁等にを施工された角穴へ、本体枠１及び、裏パネル２を、角穴の前後から嵌め込み、ネジで固定されている。【選択図】図１
0003181135.tif 000002
【実用新案登録請求の範囲】
【請求項１】
グレビティヒンジを応用したペットドア
【考案の詳細な説明】
【技術分野】
【０００１】この考案は、ペットドア（ペット専用の開閉扉）に関する考案である。
【背景技術】
【０００２】一般に市販されているペットドアは、上部をヒンジにして、フラップをぶらさげる形式で、ペットの押す力でフラップが開き、ペットが通過すると、重力でフラップが、垂直位置に戻り、下端をマグネットで軽く保持する方式が一般的である。
【先行技術文献】
【特許文献】
【０００３】
【特許文献１】実用新案  ３１６０１８７
【考案の概要】
【考案が解決しようとする課題】
【０００４】１、従来のペットドアのフラップは、上部にヒンジを持ち、下部に位置保持用のマグネットを持つ、ぶら下げ式の開閉機構で、ペット（犬、猫）が押し開けようとしても、フラップの抵抗を感じて押し開けられないペットがある。
２、ペットが通過して、フラップが重力で垂直に戻るときに、バタンと下がり尾を挟んだり、後続するペットの頭に当ったりして、ペットにとって快適な通過状況では無い。
【課題を解決するための手段】
【０００５】カウンタードアの様に、軽い圧力で開き、フラップの自重でゆっくり戻る、水平に開閉するグレビティヒンジは、ペットドアに最適で、グレビティヒンジを応用して、上記の課題を軽減する。
【考案の効果】
【０００６】犬用に実用テストを行ったが、軽い圧力で開き、扉の重力で、ゆっくり中間位置へ自然復帰するドアは、ペットにも優しく直ぐに適応する。
犬用、猫用問わず、ペットには最適。
【図面の簡単な説明】
【０００７】
【図１】枠に組み込まれた状態の全体図である。
【図２】グレビティヒンジ組込み図。
【考案を実施するための形態】
【実施例】
【０００８】図１．２．参照
通常ペットドアは、建屋内であれば、引き戸やドア或いは、隔壁の下部に角穴を空け、その角穴に埋め込む形で施工される。
従って、取り付け易いように、枠とフラップは一体に組み込まれる。
一般的に、住宅に使用される開閉扉は、厚さ２５〜４０ｍｍとバラつきがある為フラップ付の本体と、厚さに応じてスライド出来る裏パネルとで構成。【０００９】構造
添付  図１、図２参照
▲１▼の枠内に、▲３▼のフラップを嵌めこむ。
▲１▼と▲３▼は、▲５▼のガイド棒を介し連結される。
▲３▼のフラップは外力で回転すると、上方にせり上がる。
外力が無くなると、フラップの自重で元の閉状態に復帰する。【００１０】結果
以上によりペットの力で押し開けられたフラップは、ペット通過後に、フラップの自重で、緩やかに復元する。
軽微な復帰力なので、ペットにダメージを与えることも無い。
【産業上の利用可能性】
【００１１】  近来のペットブームで、ペットに関する用品の需要は、拡大しており
更に、ペットに優しい用品は歓迎されると思われる。
【符号の説明】
【００１２】▲１▼  本体枠
▲２▼  裏パネル
▲３▼  フラップ
▲４▼  グレビティヒンジ
▲５▼  ガイド棒
【図１】
0003181135.tif 000003
【図２】
0003181135.tif 000004
【手続補正書】
【提出日】平成24年10月12日(2012.10.12)
【手続補正１】
【補正対象書類名】実用新案登録請求の範囲
【補正対象項目名】全文
【補正方法】変更
【補正の内容】
【実用新案登録請求の範囲】
【請求項１】
本体枠（１）の下部に、グレビティヒンジの下部（４−１）を固定しグレビティヒンジの上部（４−２）を、可動フラップ（３）に固定し、更に可動フラップ（３）を、本体枠（１）に固定された、ガイド棒（５）により、上下で支持された、グレビティヒンジを応用したペットドア。
【請求項２】
本体枠（１）に嵌合する裏パネル（２）は、ペット（犬、猫）が通過するのに、十分なサイズにされていて、住居の扉、隔壁等にを施工された角穴へ、本体枠（１）及び、裏パネル（２）を、角穴の前後から嵌め込み、ネジで固定する請求項１に記載の、グレビティヒンジを応用したペットドア。
【手続補正２】
【補正対象書類名】図面
【補正対象項目名】全図
【補正方法】変更
【補正の内容】
【図１】
0003181135.tif 000005
【図２】
0003181135.tif 000006